(57)【要約】      （修正有）【課題】安価で、高い冷却効果を得ることができる水ディスペンサのインナータンクの構造を提供する。【解決手段】中空の樽の形状を呈するプラスチック製のボディ１０を備えたインナータンク１の構造である。中空の樽は、開口した上部を有しており、そこから水の供給が可能である。インナータンク１は、その中で横方向に伸延している分割板によって、上部および下部に分割されている。下部は、冷水槽として機能する。冷水槽は、冷水槽の外側面の実質的に全体をカバーしている低温装置と、低温装置の実質的に全体をカバーしている金属部材とを含んでいる。【選択図】図１
0003107922.tif 000002
【実用新案登録請求の範囲】
【請求項１】
水を収容するための、外側面を有する中空のボディと、
中空のボディの外側面の少なくとも一部に取り付けられる低温装置と、
低温装置をカバーしている金属部材と、
を有する水ディスペンサのインナータンクの構造。
【請求項２】
前記ボディは、プラスチック製である請求項１に記載の水ディスペンサのインナータンクの構造。
【請求項３】
前記ボディは、水が流入するのを許容する頂部の開口を有する請求項１に記載の水ディスペンサのインナータンクの構造。
【請求項４】
前記ボディを上部、および冷水槽として機能する下部に分割するための分割板をさらに有する請求項１に記載の水ディスペンサのインナータンクの構造。
【請求項５】
前記分割板には、前記上部から冷水槽に水が流入するのを許容する貫通孔が設けられている請求項４に記載の水ディスペンサのインナータンクの構造。
【請求項６】
前記上部から熱水槽まで接続するための、冷水槽を通って伸延している導管を更に有する請求項４に記載の水ディスペンサのインナータンクの構造。
【請求項７】
前記冷水槽を小出しバルブに接続する導管を更に有する請求項４に記載の水ディスペンサのインナータンクの構造。
【請求項８】
前記低温装置は、冷水槽の外側面の全体をカバーしている請求項４に記載の水ディスペンサのインナータンクの構造。
【請求項９】
前記金属部材は、低温装置の全体をカバーしている請求項４に記載の水ディスペンサのインナータンクの構造。
【請求項１０】
前記低温装置は、蒸発器を含む請求項１に記載の水ディスペンサのインナータンクの構造。
【請求項１１】
前記金属部材は、曲がった銅を含む請求項１に記載の水ディスペンサのインナータンクの構造。
【請求項１２】
前記金属部材は、曲がったアルミニウムを含む請求項１に記載の水ディスペンサのインナータンクの構造。
【請求項１３】
給水部と冷水ディスペンサ部とに接続されたプラスチック製の冷水槽と、
プラスチック製の冷水槽の実質的に全体領域にわたって配置される低温装置と、
低温装置の実質的に全体領域にわたって配置される金属部材と、
を有する水ディスペンサのインナータンク。
【請求項１４】
給水部と、
前記給水部と流体的に連通する上部室、当該上部室と流体的に連通する冷水槽、当該冷水槽の外表面をカバーしている低温装置、および当該低温装置をカバーしている金属部材を備えたインナータンクと、
を有する水ディスペンサ。
【請求項１５】
前記インナータンクの上部室および冷水槽は、プラスチック材料で製作される請求項１４に記載の水ディスペンサ。
【請求項１６】
前記冷水槽の水温を維持するための断熱部を更に有する請求項１４に記載の水ディスペンサ。
【考案の詳細な説明】
【技術分野】
【０００１】
本考案は、概して、飲料水ディスペンサのインナータンク構造に関し、より詳しくは、低温効果を向上させた水ディスペンサのプラスチック製のインナータンクの構造に関する。
【背景技術】
【０００２】
充分な低温効果を得るために、熱飲料水および冷飲料水を提供する従来の水ディスペンサには、概して金属が使用されて、冷水槽が製作される。
【０００３】
金属製の水槽はより高価であるため、プラスチック材料を使用して冷水槽を製作するようにした水ディスペンサもある。
【０００４】
しかしながら、低温装置および冷水槽との接触が概して線状（リニア）であるため、適当な熱伝導を提供するには、接触領域が通常不十分である。また、冷水槽が据え付けられる間に変形する場合、水の冷却効果は更に低下し、水を冷却するための時間は結果としてより長い。
【考案の開示】
【考案が解決しようとする課題】
【０００５】
本考案は上述した課題に鑑みてなされたものであり、本考案は、安価で、高い冷却効果を得ることができる水ディスペンサのインナータンクの構造を提供することを目的とする。
【課題を解決するための手段】
【０００６】
本考案によって提供される水ディスペンサのインナータンクの構造において、インナータンクは、例えばプラスチックなどの比較的安価な材料で製作される。インナータンクの構造は、低温装置に対して、冷却効果が向上するように、より良好な接触を提供する。
【０００７】
記述されるように、インナータンクの構造は、中空の樽の形状を呈するプラスチック製のボディを有する。中空の樽は、開口した上部を有しており、そこから水の供給が可能である。インナータンクは、その中で横方向に伸延している分割板によって、上部および下部に分割されている。下部は、冷水槽として機能する。冷水槽は、冷水槽の外側面の全体を実質的にカバーしている低温装置と、低温装置の全体を実質的にカバーしている金属部材とを含んでいる。なお、本明細書において、「カバーしている」とは、ある部材の所定領域にわたって配置されていることをいう。
【０００８】
本考案の上記の目的および利点は、その典型的な実施の形態を添付の図面を参照して詳述することによって、より明瞭になる。
【考案の効果】
【０００９】
本考案によれば、安価で、高い冷却効果を得ることができる水ディスペンサのインナータンクの構造を提供することができる。
【考案を実施するための最良の形態】
【００１０】
本考案の上記特徴および他の特徴は、図面を参照して、より明らかになるであろう。
【００１１】
図１〜図４を参照して、水ディスペンサに使用されるインナータンクは、飲料水を収容するための水槽３を含んでいる。本実施形態において、水槽３は、水ディスペンサのインナータンク１に飲料水を供給するために、水ディスペンサの上に据え付けられる。インナータンク１は、プラスチックボディ１０、低温装置１１、および複数の金属リング１２を含んでいる。
【００１２】
プラスチックボディ１０は、好ましくは中空の樽の形状を呈しており、プラスチックボディ１０を上部１０１および下部１０２に分割するための、横方向の分割板１００（図４に示す）を含んでいる。上部１０１の頂部は、水槽３から供給される飲料水を受け入れるための開口１０３を有しており、一方、下部１０２は、冷水を作り出して収容するための冷水槽として使用される。分割板１００には、上部１０１に含まれる水の一部が下部１０２に流入することを許容する貫通穴１０４が穿孔される。インナータンク１は、上部１０１から熱水槽（図示せず）まで飲料水を導くための、下部１０２を通って伸延している導管１０５を、更に有している。
【００１３】
図１〜図３に示すように、低温装置１１は、プラスチックボディ１０の冷水槽１０２の外側面１０７に取り付けられる環状のシェルの形状を呈している。好ましくは、しかし任意に、外側面１０７の全体が、低温装置１１によって完全にカバーされており、それによって低温装置１１および冷水槽１０２間の大きな接触領域が得られ、これにより、冷却効果が非常に向上する。そして、金属リング１２が低温装置１１に密接に取り付けられ、熱に対して充分な放散を提供するようになっている。ここでは、金属リング１２は、低温装置１１の内側、つまり冷水槽１０２と低温装置１１との間に配置されている。
【００１４】
図４に示すように、水槽３に収容されている飲料水がインナータンク１の上部１０１の中に流入するとき、水の一部が冷水槽１０２の中へさらに流れる。そして、冷水槽１０２を囲んでいる低温装置１１は、飲料水を冷水へと効果的に冷却する。図示のように、水温を維持するために、断熱層がインナータンク１の周囲に好ましくは取り付けられる。冷水槽１０２の底部は、冷水バルブ（放出口、小出しバルブ）に伸延している小出導管１０６を含んでおり、ユーザが冷水を冷水槽１０２から取り出せるようになっている。
【００１５】
低温装置１１は、蒸発器であってもよい。そして、金属リング１２は、銅またはアルミニウムで製作されることができる。すなわち、曲がった銅またはアルミニウムが使用され得る。
【００１６】
それによって、水ディスペンサのインナータンクは、比較的安価なプラスチック材料で製作されることができるとともに、冷却効果が向上する。
【００１７】
本考案は、その好ましい実施形態に関して、特に図示および記載されてきたが、形状および詳細における種々の変更が、添付の実用新案登録請求の範囲に記載の本考案の趣旨および範囲から逸脱することなく、当業者によってなされ得ることが理解される。
【図面の簡単な説明】
【００１８】
【図１】水ディスペンサにおいて使用されるインナータンクの分解図である。
【図２】インナータンクの斜視図である、
【図３】インナータンクを部分的に断面にした図を示す。
【図４】インナータンクの断面図を示す。
【符号の説明】
【００１９】
１    インナータンク、
３    水槽、
１０    プラスチックボディ、
１１    低温装置、
１２    金属リング、
１００    分割板、
１０１    上部、
１０２    下部（冷水槽）、
１０３    開口、
１０４    貫通穴、
１０５    導管、
１０６    小出導管、
１０７    外側面。
【図１】
0003107922.tif 000003
【図２】
0003107922.tif 000004
【図３】
0003107922.tif 000005
【図４】
0003107922.tif 000006